(57)【要約】【課題】  メイン基板に落下衝撃や振動の影響が及ぶことを極力回避することができるものでありながら、メイン基板を内底部に配備したキャビネットの全高を低く抑えて背低化を可能にする。【解決手段】  メイン基板に搭載したスイッチ４を押下げ操作するための操作ボタン２を、画像表示窓１２の下側に装備させる。メイン基板５からスイッチの搭載区画を切り離すことによって形成したスイッチ搭載基板６をメイン基板５の設置高さよりも低位に配備することにより、操作ボタン２と画像表示窓との位置をスイッチ搭載基板６の設置高さに合わせて下げる。スイッチ搭載基板６とメイン基板５とをケーブル７を介して電気的接続すると共に、それらを連結具８で連結しておく。【選択図】        図２
0003123538.tif 000002
【実用新案登録請求の範囲】
【請求項１】
前面に画像表示窓を有するキャビネットの内底部にそのキャビネットの底板との間に間隔を隔てて配備されたメイン基板と、このメイン基板の前端部に搭載されたスイッチを押下げ操作するための操作ボタンと、を備え、その操作ボタンが、上記画像表示窓の下側の上記スイッチを押下げ操作可能な高さ位置で上記キャビネットに装備されているテレビジョン受信機において、
上記スイッチが上下方向に出退されるタクトを備えているのに対し、上記操作ボタンが、上記タクトに上方から対向して当該操作ボタンが押し込まれることによって上記タクトを押し下げる作用杆部を備えていて、その操作ボタンとその操作ボタンを片持ち状に支えて押込操作された操作ボタンを初期位置に弾性復帰させるヒンジ部とが上記キャビネットに一体成形され、
上記メイン基板から上記スイッチの搭載区画を切り離すことによって形成されたスイッチ搭載基板を上記メイン基板の設置高さよりも低位に配備することによって、上記キャビネットの前面での上記操作ボタンと上記画像表示窓との位置を、上記スイッチ搭載基板の設置高さに合わせて下げてあると共に、上記キャビネットに、上記メイン基板の幅方向端縁部を抜差し自在に支持する第１溝部と、この第１溝部よりも低位に位置して上記スイッチ搭載基板を抜差し自在に支持する第２溝部とが備わり、ケーブルを介して電気的接続された上記スイッチ搭載基板とこのスイッチ搭載基板が切り離された上記メイン基板とが前後方向で間隔を隔てた状態で、かつ、それら両基板を第１及び第２の上記溝部の相互間隔と同じ上下間隔を隔てて、連結具により連結されていることを特徴とするテレビジョン受信機。
【請求項２】
前面に画像表示窓を有するキャビネットの内底部にそのキャビネットの底板との間に間隔を隔てて配備されたメイン基板と、このメイン基板の前端部に搭載されたスイッチを押下げ操作するための操作ボタンと、を備え、その操作ボタンが、上記画像表示窓の下側の上記スイッチを押下げ操作可能な高さ位置で上記キャビネットに装備されているテレビジョン受信機において、
上記メイン基板から上記スイッチの搭載区画を切り離すことによって形成されたスイッチ搭載基板を上記メイン基板の設置高さよりも低位に配備することによって、上記キャビネットの前面での上記操作ボタンと上記画像表示窓との位置を、上記スイッチ搭載基板の設置高さに合わせて下げてあることを特徴とするテレビジョン受信機。
【請求項３】
上記スイッチが上下方向に出退されるタクトを備えているのに対し、上記操作ボタンが、上記タクトに上方から対向して当該操作ボタンが押し込まれることによって上記タクトを押し下げる作用杆部を備えていて、その操作ボタンとその操作ボタンを片持ち状に支えて押込操作された操作ボタンを初期位置に弾性復帰させるヒンジ部とが上記キャビネットに一体成形されている請求項２に記載したテレビジョン受信機。
【請求項４】
上記キャビネットに、上記メイン基板の幅方向端縁部を抜差し自在に支持する第１溝部と、この第１溝部よりも低位に位置して上記スイッチ搭載基板を抜差し自在に支持する第２溝部とが備わり、上記スイッチ搭載基板とこのスイッチ搭載基板が切り離された上記メイン基板とが、それら両基板を第１及び第２の上記溝部の相互間隔と同じ上下間隔を隔てて連結具により連結されている請求項２又は請求項３に記載したテレビジョン受信機。
【請求項５】
スイッチ搭載基板とメイン基板とが前後方向で間隔を隔てて上記連結具により連結されている請求項４に記載したテレビジョン受信機。
【考案の詳細な説明】
【技術分野】
【０００１】
本考案は、テレビジョン受信機、特に、キャビネットの内底部に、そのキャビネットの底板との間に間隔を隔ててメイン基板が水平に配備されていて、そのメイン基板の前端部に搭載されているスイッチが、キャビネットの前面の画像表示窓の下側に装備されている操作ボタンによって操作されるようになっているテレビジョン受信機に関する。
【背景技術】
【０００２】
図９にこの種のテレビジョン受信機を正面図で説明的に例示してある。同図のテレビジョン受信機において、キャビネット１はその前面に、ブラウン管の表示面が臨む画像表示窓１２を備え、その画像表示窓１２の下側には横並びに配備された複数の操作ボタン２が装備されている。また、キャビネット１にはメイン基板が収容されていて、このメイン基板に搭載されているモード切換え用の複数のスイッチが、複数の上記操作ボタン２を選択的に操作することによって動作するようになっている。
【０００３】
図６は図９のテレビジョン受信機の要部を説明的に示した縦断側面図、図７は上記メイン基板３を説明的に示した平面図である。図７のようにメイン基板３は平面視略矩形に形成されていて、その前端部にスイッチ搭載区画Ｚが形成され、そのスイッチ搭載区画Ｚの複数箇所に上記スイッチ４が横並び状態で搭載されている。これに対し、図６のように、キャビネット１には、メイン基板３の幅方向端縁部を抜差し自在に支持する溝部１３が設けられていて、この溝部１３に差し込まれたメイン基板３の前端がキャビネット１側に具備されている位置決め部１５に当接されていると共に、その溝部１３によって、メイン基板３がキャビネット１の底板１１との間に一定の間隔ｈを隔てて支持されている。また、メイン基板３の前端部に搭載されているスイッチ４にはタクトスイッチが採用されていて、そのスイッチに備わっている上向きに突き出たタクト４１に、上記操作ボタン２に一体成形されて後方へ突き出ている作用杆部２１が、その上方から対向している。なお、図６には、操作ボタン２の下端部に成形されているヒンジ部を符号２２で示し、キャビネット１の最低位を基準とする作用杆部２１の設置高さを符号Ｘで示してある。
【０００４】
このように構成されているテレビジョン受信機において、図６矢印ａのようにユーザが手の指で操作ボタン２をヒンジ部２２を中心として押し込むと、それに伴って作用杆部２１の自由端が矢印ｂのように下降してスイッチ４のタクト４１を押し下げる。これにより、スイッチ４が切り換わって所定の動作モードが得られる。なお、ユーザが操作ボタン２から手の指を離すと、操作ボタン２がヒンジ部２２の弾性によって初期位置に復帰し、それに伴ってスイッチ４のタクト４１が当該スイッチに内蔵されている復帰機構によって初期状態に戻る。
【０００５】
ところで、この種のテレビジョン受信機、たとえば画像表示窓１２のサイズが２０インチ程度のテレビジョン受信機では、図９に示したキャビネット１の全高Ｈが画像表示窓１２のサイズに見合う高さになることを避けられないけれども、その全高Ｈを何らかの対策を講じて少しでも低く抑えて当該テレビジョン受信機の背低化を図りたいという要求があった。
【０００６】
そこで、図８に示した対策を講じることが提案された。すなわち、図８はキャビネットの全高Ｈを低くするための対策を講じたテレビジョン受信機の要部を説明的に示した縦断側面図であり、同図のテレビジョン受信機では、キャビネット１の内底部に配備されたメイン基板３の位置を図６のものよりも少し下げることによってメイン基板３とキャビネット１の底板１１との間隔ｈ１を図６に示した間隔ｈよりも狭め（ｈ１＜ｈ）、それと併せて、キャビネット１の前面での上記操作ボタン２と画像表示窓との位置を、メイン基板３の設置高さに合わせて下げることによって、キャビネット１の最低位を基準とする作用杆部２１の設置高さＸ１を図６に示した設置高さＸよりも低くしてある（Ｘ１＜Ｘ）。
【０００７】
このような対策を講じると、図１０に説明的に正面図で示したテレビジョン受信機のように、キャビネット１の全高Ｈ１を、操作ボタン２と画像表示窓との高さ位置を下げた分に見合うだけ低く抑えることができて（Ｈ１＜Ｈ）、当該テレビジョン受信機の背低化を図ることが可能になる。なお、図９及び図１０にはキャビネット１の最低位から操作ボタン２までの高さを符号Ｙ，Ｙ１で示し、両者にはＹ１＜Ｙの関係が成立している。
【０００８】
一方、デジタルテレビやデジタルテレビ−セットトップボックスのように用途が異なる受信装置に組み込まれの基板配線体を、デジタルテレビとデジタルテレビ−セットトップボックスとに共通する回路部品を搭載した第１の基板と、デジタルテレビとデジタルテレビ−セットトップボックス各々の用途に応じた回路部品を搭載する第２の基板とに分けて、それらを接続配線体によって電気的に接続しておくことにより、当該基板配線体をデジタルテレビとデジタルテレビ−セットトップボックスとに共用することが試みられている（たとえば、特許文献１参照）。また、テレビジョン受信機の全実装基板に設けられている各回路ブロックをグループ分けしてその大部分を１枚のメインプリント基板に集約すると共に、残りの部分をメインプリントから独立させたサブプリント基板に実装するという対策を講じることによって、キャビネットの奥行寸法を縮小化することについての提案もなされている（たとえば、特許文献２参照）。さらに、ＤＶＤデッキなどに採用される配線基板の配置に工夫を講じてその設置のための空間広さを節約することについての研究もなされている（たとえば、特許文献３、特許文献４参照）。そのほか、電子機器モジュールを分割して製作容易性、メンテナンス性、接地性能などを改善するための研究も行われている（たとえば、特許文献５参照）。
【特許文献１】特開２００３−６１００９号公報
【特許文献２】特開平１１−４６３２９号公報
【特許文献３】実用新案登録第３０２０３４５号公報
【特許文献４】実用新案登録第３０９００８５号公報
【特許文献５】特開２００４−１５３１０５号公報
【考案の開示】
【考案が解決しようとする課題】
【０００９】
ところで、テレビジョン受信機のメイン基板３には、上記したスイッチ４のほか、フライバックトランスや映像音声信号処理回路、偏向処理回路、電源回路などが搭載されていることなどから、図６を参照して説明したように、テレビジョン受信機のメイン基板３をキャビネット１の底板１１から浮かせて両者の間に一定の間隔ｈを確保させることは、運搬時の落下衝撃やその他の振動などの影響がメイン基板３に及んでそのメイン基板３に搭載されているフライバックトランスなどの電気電子部品や上掲の各種回路の性能を損なわないようにする上で有益である。その反面、テレビジョン受信機においてメイン基板３をキャビネット１の底板１１の上に重ね合わせて配備したり、メイン基板３とキャビネット１の底板１１との間隔ｈを狭め過ぎたりすると、上記した落下衝撃や振動などによる悪影響がメイン基板３に及んでそのメイン基板３に搭載されている電気電子部品や各種回路の性能が損なわれやすい。
【００１０】
このことを勘案すると、キャビネット１の全高Ｈを低くすることを意図して、図８や図１０を参照して説明したようにメイン基板３の位置を図６のものよりも下げてメイン基板３とキャビネット１の底板１１との間隔ｈ１を図６に示した間隔ｈよりも狭めることは、必ずしも得策ではなく、場合によっては上記したように落下衝撃や振動などによる悪影響がメイン基板３に及んでそのメイン基板３に搭載されている電気電子部品や各種回路の性能が損なわれるという事態が起こり得る。
【００１１】
この点に関し、上掲の特許文献１や特許文献２によって提案されている技術によると、キャビネットの奥行寸法を縮小することが可能であると考えられるけれども、キャビネットの全高を低くすることについては役立たない。特許文献３や特許文献４についても同様である。
【００１２】
本考案は以上の状況に鑑みてなされたものであり、メイン基板とキャビネットの底板との間隔を広く確保することによって、メイン基板に搭載されているフライバックトランスなどの電気電子部品や各種回路に落下衝撃や振動の影響が及ぶことを極力回避することができるものでありながら、そのメイン基板が内底部に配備されたキャビネットの全高を低く抑えて背低化を可能にすることのできるテレビジョン受信機を提供することを目的とする。
【課題を解決するための手段】
【００１３】
本考案に係るテレビジョン受信機は、前面に画像表示窓を有するキャビネットの内底部にそのキャビネットの底板との間に間隔を隔てて配備されたメイン基板と、このメイン基板の前端部に搭載されたスイッチを押下げ操作するための操作ボタンと、を備え、その操作ボタンが、上記画像表示窓の下側の上記スイッチを押下げ操作可能な高さ位置で上記キャビネットに装備されている。そして、上記メイン基板から上記スイッチの搭載区画を切り離すことによって形成されたスイッチ搭載基板を上記メイン基板の設置高さよりも低位に配備することによって、上記キャビネットの前面での上記操作ボタンと上記画像表示窓との位置を、上記スイッチ搭載基板の設置高さに合わせて下げてある。
【００１４】
この構成であると、キャビネットの前面での操作ボタンと画像表示窓との位置を、メイン基板の設置高さよりも低位に配備したスイッチ搭載基板の設置高さに合わせて下げてあることにより、キャビネットの全高を低く抑えてその背低化を図ることが可能になる。それにもかかわらず、スイッチ搭載基板が切り離されたメイン基板は、スイッチ搭載基板よりも高位置に配備されるために、そのメイン基板とキャビネットの底板との間隔を十分に広く確保することが可能になって、そのメイン基板に落下衝撃や振動の影響の及ぶことが極力回避されるようになる。なお、スイッチ搭載基板とキャビネットの底板との間隔は狭くなるけれども、このスイッチ搭載基板にはスイッチが搭載されているだけであるので、落下衝撃や振動の影響がスイッチ搭載基板に及んでも、そのためにスイッチの性能が損なわれるという事態は起こりにくい。
【００１５】
本考案では、上記スイッチが上下方向に出退されるタクトを備えているのに対し、上記操作ボタンが、上記タクトに上方から対向して当該操作ボタンが押し込まれることによって上記タクトを押し下げる作用杆部を備えていて、その操作ボタンとその操作ボタンを片持ち状に支えて押込操作された操作ボタンを初期位置に弾性復帰させるヒンジ部とが上記キャビネットに一体成形されていることが望ましい。この考案によれば、ユーザが手の指で操作ボタンをヒンジ部を中心として押し込むと、それに伴って作用杆部がスイッチのタクトを押し下げる。これにより、スイッチが切り換わって所定の動作モードが得られる。また、ユーザが操作ボタンから手の指を離すと、操作ボタンがヒンジ部の弾性によって初期位置に復帰し、それに伴ってスイッチのタクトが当該スイッチに内蔵されている復帰機構によって初期状態に戻る。
【００１６】
本考案では、上記キャビネットに、上記メイン基板の幅方向端縁部を抜差し自在に支持する第１溝部と、この第１溝部よりも低位に位置して上記スイッチ搭載基板を抜差し自在に支持する第２溝部とが備わり、上記スイッチ搭載基板とこのスイッチ搭載基板が切り離された上記メイン基板とが、それら両基板を第１及び第２の上記溝部の相互間隔と同じ上下間隔を隔てて連結具により連結されていることが望ましい。これによれば、スイッチ搭載基板とメイン基板とを一体物として取り扱うことができ、しかも、スイッチ搭載基板を第１溝部に差し込み、メイン基板を第２溝部に差し込むという一連の差込み工程を経てそれらのスイッチ搭載基板とメイン基板とをキャビネットに組み付けることが可能になるだけでなく、スイッチ搭載基板が第１溝部に支持されて、第２溝部に支持されたメイン基板よりも低位に配備されるようになる。
【００１７】
本考案では、スイッチ搭載基板とメイン基板とが前後方向で間隔を隔てて上記連結具により連結されていることが望ましい。これによれば、第１溝部に支持されたスイッチ搭載基板の後方で、第２溝部によってメイン基板が上記スイッチ搭載基板よりも高位で支持されるために、上記画像表示窓に臨まされるブラウン管を無理なく設置することが可能になる。この点に関し、仮にメイン基板がスイッチ搭載基板の上方に重なり状態で配備されていると、そのメイン基板がブラウン管の設置のじゃまになって、画像表示窓の位置を下げることができなくなり、ひいてはキャビネットの背低化を図りにくくなる。
【００１８】
本考案に係るテレビジョン受信機は、前面に画像表示窓を有するキャビネットの内底部にそのキャビネットの底板との間に間隔を隔てて配備されたメイン基板と、このメイン基板の前端部に搭載されたスイッチを押下げ操作するための操作ボタンと、を備え、その操作ボタンが、上記画像表示窓の下側の上記スイッチを押下げ操作可能な高さ位置で上記キャビネットに装備されているテレビジョン受信機において、上記スイッチが上下方向に出退されるタクトを備えているのに対し、上記操作ボタンが、上記タクトに上方から対向して当該操作ボタンが押し込まれることによって上記タクトを押し下げる作用杆部を備えていて、その操作ボタンとその操作ボタンを片持ち状に支えて押込操作された操作ボタンを初期位置に弾性復帰させるヒンジ部とが上記キャビネットに一体成形され、上記メイン基板から上記スイッチの搭載区画を切り離すことによって形成されたスイッチ搭載基板を上記メイン基板の設置高さよりも低位に配備することによって、上記キャビネットの前面での上記操作ボタンと上記画像表示窓との位置を、上記スイッチ搭載基板の設置高さに合わせて下げてあると共に、上記キャビネットに、上記メイン基板の幅方向端縁部を抜差し自在に支持する第１溝部と、この第１溝部よりも低位に位置して上記スイッチ搭載基板を抜差し自在に支持する第２溝部とが備わり、ケーブルを介して電気的接続された上記スイッチ搭載基板とこのスイッチ搭載基板が切り離された上記メイン基板とが前後方向で間隔を隔てた状態で、かつ、それら両基板を第１及び第２の上記溝部の相互間隔と同じ上下間隔を隔てて、連結具により連結されている、という構成を採用することによっていっそう具体化される。この考案の作用などについては後述する実施形態を参照して詳細に説明する。
【考案の効果】
【００１９】
以上のように、本考案に係るテレビジョン受信機によれば、メイン基板とキャビネットの底板との間隔を広く確保してメイン基板に搭載されているフライバックトランスなどの電気電子部品や各種回路に落下衝撃や振動の影響が及ぶことを極力回避することができるにもかかわらず、メイン基板から切り離したスイッチ搭載基板をメイン基板よりも低位に配備して操作ボタンや画像表示窓の位置を下げてキャビネットの全高を低く抑えてあるので、落下衝撃や振動の影響がメイン基板の電気電子部品や各種回路に及びにくい割に、キャビネットが背低化されたテレビジョン受信機を提供することが可能になる。
【考案を実施するための最良の形態】
【００２０】
図１は本考案の実施形態に係るテレビジョン受信機に採用されるスイッチ搭載基板６とそのスイッチ搭載基板６が切り離されたメイン基板５とを示した概略平面図、図２は同テレビジョン受信機の要部を概略で示した縦断側面図、図３はスイッチ搭載基板６とメイン基板５とをキャビネット後方から見て示した背面図、図４は第１溝部１７と第２溝部１８とを示したキャビネットの部分縦断側面図、図５はキャビネット１の内部でのスイッチ搭載基板６とメイン基板５との配置状態を説明的に示した平面図である。
【００２１】
図１のように、この実施形態のテレビジョン受信機に採用されるメイン基板５は、本来的には、スイッチ搭載区画を備える１枚の大きな配線基板によって形成されているけれども、図例のメイン基板５では、スイッチ搭載区画を切り離すことによって小片でなるスイッチ搭載基板６を形成してある。したがって、スイッチ搭載基板６は、スイッチ搭載区画が欠除された大きなメイン基板５とは別体のものとして形成されている。この点を図７を参照して説明したメイン基板３と対比すると、図７のメイン基板３のスイッチ搭載区画Ｚをそのメイン基板３から切り離したものが図１のスイッチ搭載基板６に相当し、そのスイッチ搭載基板６が切り離された残りの部分が図１のメイン基板５に相当している。したがって、図１のメイン基板５にはフライバックトランスなどの電気電子部品（不図示）や映像音声信号処理回路、偏向処理回路、電源回路などのテレビジョン受信機に不可欠な主要回路（不図示）が搭載されているのに対し、スイッチ搭載基板６には所要数のスイッチ４が横並び状態で搭載されているだけである。
【００２２】
上記したメイン基板５とスイッチ搭載基板６とは、それらの各基板５，６にそれぞれ形成されている接続端子同士が、可撓性を備えるフラットケーブルでなるケーブル７を介して電気的接続されている。したがって、スイッチ搭載基板６に搭載されているそれぞれのスイッチ４の作動によって出力される電気信号がケーブル７によってメイン基板５側に伝達されてそのメイン基板５に搭載されている上記電気電子部品や上記回路が動作する。
【００２３】
また、上記したスイッチ搭載基板６とメイン基板５とは樹脂成形体でなる容易に変形しない枠形の連結具８によって連結されている。具体的には、連結具８の前端部に前後に間隔を隔てて備わっている係止爪８１，８２によってスイッチ搭載基板６がその連結具８の前端部上面に結合されているのに対し、連結具８の後端部上面に重ね合わされたメイン基板５の前端部が係止爪８３や取付けビス８４によってその連結具８に連結されている。
【００２４】
一方、キャビネット１の底板１１には、図５のように前後方向に延びる一対の平行なリブ状の突条１６，１６が一体成形されている。そして、図３又は図４のように、それらの突条１６，１６に、上下２段に亘って上側の第１溝部１７と下側の第２溝部１８とが形成されている。これらの各溝部１７，１８のうち、第１溝部１７は片側の突条１６の全長に亘って延びているのに対し、第２溝部１８は片側及び他側の各突条１６の前半部分だけに形成されている。そして、第２溝部１８にあっては、その後端部に、キャビネット１の底板１１の上面を起点として第２溝部１８につながる上り勾配の呼込みガイド面１９が付設されている。ここで、図２に示されているように、メイン基板５とスイッチ搭載基板６とを前後方向で間隔を隔てて連結している上記連結具８は、スイッチ搭載基板６との連結箇所がメイン基板５との連結箇所よりも低位に位置していて、それら両基板５，６の上下方向の相互間隔を上記した第１及び第２の各溝部１７，１８の相互間隔と同じ間隔に保っている。
【００２５】
図１に示したスイッチ搭載基板６とメイン基板５とをキャビネット１に組み込むときには、それら両基板５，６を連結具８により連結した状態で、スイッチ搭載基板６を第２溝部１８に後方から差し込むことと併せて、メイン基板５を第１溝部１７に後方から差し込むという作業を行う。この実施形態では、そのような基板組付け作業の容易化を図るために、スイッチ搭載基板６の前端部をキャビネット１の底板１１の上面で滑らせて上記呼込みガイド面１９に乗り移らせ、さらに呼込みガイド面１９から第２溝部１８に差し込むという作業を行うと、その作業によってメイン基板５の前端部が第２溝部１７に自然に差し込まれるようにしてある。このため、基板組付け作業に熟練を必要としなくなってその作業が容易にかつ短時間で確実に行われるようになる。
【００２６】
スイッチ搭載基板６が第２溝部１８に差し込まれ、メイン基板５が第１溝部１７に差し込まれた後、さらにそれらの基板６，５を押し込むと、図２のように、スイッチ搭載基板６の前端又は連結具８の前側の係止爪８１がキャビネット１側に具備されている位置決め部１５に当接してそれらの基板６，５がキャビネット１に対して位置決めされる。こうしてキャビネット１に組み付けられたメイン基板５はキャビネット１の底板１１との間に十分に広い間隔を隔てて配備されているのに対し、スイッチ搭載基板６はメイン基板５よりも低位に配備されている。なお、メイン基板５はキャビネット１の底板１１との間隔は、キャビネット１の底板１１に落下衝撃や振動が加わった場合でも、メイン基板５に搭載されている電気電子部品や回路の性能が損なわれない程度の広さに定められている。
【００２７】
図２又は図３のように、スイッチ搭載基板５に横並び状態で搭載されている複数のスイッチ４のそれぞれにはタクトスイッチが採用されていて、それらの各スイッチ４のタクト４１が上向きに突き出ている。そして、図２のように、キャビネット１の前面で画像表示窓の下側に配備されている操作ボタン２の作用杆部２１がスイッチ４のタクト４１に上方から対向していて、操作ボタン２が矢印ａ押し込まれと、作用杆部２１が矢印ｂのように下降してタクト４１が押し下げられるようになっている。
【００２８】
この実施形態において、キャビネット１の前面での操作ボタン２と画像表示窓との位置は、スイッチ搭載基板６の設置高さに合わせて図６を参照して説明した場合よりも下げてあり、そのように操作ボタン２の位置を下げることによって、スイッチ搭載基板６に搭載されているスイッチ４のタクト４１を押下げ操作可能な高さ位置に定めてある。そして、操作ボタン２とその操作ボタン２を片持ち状に支えて押込操作された操作ボタン２を初期位置に弾性復帰させるヒンジ部２２とがキャビネット１に樹脂で一体成形されている。そして、このようにメイン基板５から切り離したスイッチ搭載基板６をメイン基板５の設置高さよりも低位に配備することによって、キャビネット１の前面での操作ボタン２と画像表示窓との位置をスイッチ搭載基板の設置高さに合わせて下げたことによって、この実施形態のテレビジョン受信機では、図１０を参照して説明したキャビネット１と同程度にその全高を図９に示したテレビジョン受信機のキャビネット１の全高Ｈよりも低くすることができた。
【００２９】
また、この実施形態では、メイン基板５とキャビネット１の底板１１との相互間隔を図６を参照して説明したメイン基板３とキャビネット１の底板１１との間隔ｈと同等に定めてある。そのため、キャビネット１の底板に加わる落下衝撃や振動の影響がメイン基板５に及びにくくなり、そのために、メイン基板５に搭載されている電気電子部品や各種回路の性能がその落下衝撃や振動の影響で損なわれるという事態が起こりにくくなる。
【００３０】
なお、図１〜図１０では同一又は相応する部分に同一符号を付してある。
【図面の簡単な説明】
【００３１】
【図１】本考案の実施形態に係るテレビジョン受信機に採用されるスイッチ搭載基板とメイン基板とを示した概略平面図である。
【図２】同テレビジョン受信機の要部を概略で示した縦断側面図である。
【図３】スイッチ搭載基板とメイン基板とをキャビネット後方から見て示した背面図である。
【図４】第１溝部と第２溝部とを示したキャビネットの部分縦断側面図である。
【図５】キャビネットの内部でのスイッチ搭載基板とメイン基板との配置状態を説明的に示した平面図である。
【図６】従来のテレビジョン受信機の要部を説明的に示した縦断側面図である。
【図７】図６のテレビジョン受信機に採用されているメイン基板を説明的に示した平面図である。
【図８】キャビネットを背低化するための対策を講じたテレビジョン受信機の要部を説明的に示した縦断側面図である。
【図９】従来のテレビジョン受信機を説明的に示した正面図である。
【図１０】キャビネットを背低化するための対策を講じた比較例としてのテレビジョン受信機を説明的に示した正面図である。
【符号の説明】
【００３２】
１  キャビネット
２  操作ボタン
３  メイン基板
４  スイッチ
５  メイン基板
６  スイッチ搭載基板
７  ケーブル
８  連結具
１１  キャビネットの底板
１２  画像表示窓
１７  第１溝部
１８  第２溝部
２１  作用杆部
２２  ヒンジ部
４１  タクト
【図１】
0003123538.tif 000003
【図２】
0003123538.tif 000004
【図３】
0003123538.tif 000005
【図４】
0003123538.tif 000006
【図５】
0003123538.tif 000007
【図６】
0003123538.tif 000008
【図７】
0003123538.tif 000009
【図８】
0003123538.tif 000010
【図９】
0003123538.tif 000011
【図１０】
0003123538.tif 000012